(57)【要約】【課題】本発明は、レーザーポインタにおいて、使用環境に合わせて、明るさを優先させたモード、或いは動作時間を優先させた低消費電力モードを選択可能とし、また、使用の途中に必要な輝度が失われても、動作を中断することなく、使用可能とすることを目的としている。【解決手段】本発明は、上記課題を解決するため、レーザー光源と、このレーザー光源を内臓するケース体と、前記レーザ光源に電力を供給する第１のバッテリと、この第１のバッテリに直列、又は並列に接続する第２のバッテリと、この直列又は並列に接続するスイッチとを有することを特徴としている。【選択図】図１
2009186948.tif 000002
【特許請求の範囲】
【請求項１】
半導体レーザーダイオードと、このレーザーダイオードを内臓するケース体と、前記レーザダイオードを制御する制御回路と、この制御回路にに電力を供給する第１のバッテリと、この第１のバッテリに直列、又は並列に接続される第２のバッテリと、この直列及び並列に接続するためのスイッチとを有することを特徴とするレーザポインタ。
【請求項２】
半導体レーザーダイオードと、このレーザーダイオードを内臓するケース体と、前記レーザダイオードを制御する制御回路と、この制御回路にに電力を供給する第１の電気二重層コンデンサと、この第１の電気二重層コンデンサに直列、又は並列に接続される第２の電気二重層コンデンサと、この直列及び並列に接続するためのスイッチとを有することを特徴とするレーザポインタ。
【請求項３】
前記第１及び第２のバッテリに充電する充電回路を有することを特徴とする請求項１項記載のレーザポインタ。
【請求項４】
前記第１及び第２の電気二重層コンデンサに充電する充電回路を有することを特徴とする請求項２項記載のレーザポインタ。
【請求項５】
半導体レーザーダイオードと、このレーザーダイオードを内臓するケース体と、前記レーザダイオードを制御する制御回路と、この制御回路にに電力を供給する電気二重層コンデンサと、この電気二重層コンデンサに直列、又は並列に接続されるバッテリと、この直列及び並列に接続するためのスイッチとを有することを特徴とするレーザポインタ。
【発明の詳細な説明】
【技術分野】
【０００１】本発明は、レーザポインタ、特に明るさを変更することが可能なレーザポインタに関する。
【背景技術】
【０００２】レーザポインタは、プロジェクタによる投影画像の所定の箇所を指し示すために、レーザ光を照射するものであるが、低消費電力であり、例えば単三の電池が電源として用いられている。
従来、充電可能な電池を用いるレーザポインタが知られている。
例えば、下記特許文献１では、プロジェクタによって電源を充電可能なレーザポインタが示されている。【０００３】また、レーザ出力光の明るさを一定にするために、レーザダイオードの出力光を検出する受光素子を用いてレーザ出力光を検出し、フィードバック制御を行っている。【０００４】
【特許文献１】特開２００８−３１９１号
【発明の開示】
【発明が解決しようとする課題】
【０００５】従来、レーザポインタは、レーザ光を一定出力で照射するように制御される。
しかしながら、例えば、暗い室内環境で使用する場合、必要以上に明るい場合がある。また、明るい室内環境で使用する場合、輝度が足りないと感じる場合がある。【０００６】また、プレゼンテーションを行っている途中で、レーザポインタの電池切れとなったり、レーザ出力光の必要な輝度が失われることがある。【０００７】本発明は、レーザーポインタにおいて、使用環境に合わせてレーザ光の出力を変更可能とし、或いは、使用の途中に必要な輝度が失われることなく、使用可能とすることを目的としている。
【課題を解決するための手段】
【０００８】前記目的を達成するため、本発明に係るレーザポインタは、レーザー光源と、このレーザー光源を内臓するケース体と、前記レーザ光源に電力を供給する第１のバッテリと、この第１のバッテリに直列、又は並列に接続する第２のバッテリと、この直列又は並列に接続するスイッチとを有することを特徴とするものである。
【発明の効果】
【０００９】本発明は、レーザポインタにおいて、連続使用可能時間を優先したモードと、明るさを優先したモードを、利用者が簡単に選択可能とするものであり、また例えば、使用途中に、必要な輝度が減少したような場合でも、モードを切り替えることによって、レーザポインタの使用の継続を可能とするものである。
【発明を実施するための最良の形態】
【００１０】以下、本発明を実施するための最良の形態について、図面を参照して詳細に説明する。
【実施例】
【００１１】以下、図に沿って本発明の一実施例を説明する。
図１は本発明の一実施例を示す回路ブロック図である。
１は半導体レーザダイオード、２は半導体受光素子、３はレーザダイオード１を駆動するためのトランジスタ、４はレーザ光出力を制御するためのレーザポインタ制御回路、５は第１のバッテリ、６は第２のバッテリ、７は第１のバッテリ５と第２のバッテリ６を直列、或いは並列にレーザポインタ制御回路４に接続するスイッチ、８はレーザダイオードの動作状態を表示するインジケータである。【００１２】レーザ光源２は、赤色、或いは緑色の光を発する半導体レーザを用いている。
光出力を小さくしたい場合、スイッチ７によって、第１のバッテリ５と第２のバッテリ６を並列に接続する。
第１のバッテリ５と第２のバッテリ６が並列に接続されると、レーザポインタ制御回路４の、光出力安定化回路の基準値が低く設定される。
この低い基準値でレーザダイオード１が発光すると、受光素子２によりレーザダイオード１の光出力に比例した電流が流れ、この電流を電圧に変換して、光出力が小さい第１のモードで光出力が一定になるように、トランジスタ３がフィードバック制御される。【００１３】光出力を大きくしたい場合、スイッチ７によって、第１のバッテリ５と第２のバッテリ６を直列に接続する。
第１のバッテリ５と第２のバッテリ６が直列に接続されると、前述の基準値が大きく設定される。
受光素子２の出力電圧が大きい状態を保つようにフィードバック制御され、レーザダイオード１は光出力が大きい第２のモードで出力が一定になるように駆動される。【００１４】インジケータ８は発光ダイオードで構成される。
バッテリ５，６を並列接続して、光出力が小さい第１のモードで動作させている場合、インジケータ８は、一定出力で常時発光される。
バッテリ５，６を直列接続して、光出力が大きい第２のモードで動作させている場合、インジケータ８は点滅発光される。
尚、インジケータ８を種類の異なる発光素子で構成し、例えば、第１のモードで動作させている場合は、緑色の発光素子を点灯し、第２のモードで動作されている場合は、赤色の発光素子を点灯してもよい。【００１５】図２に、第２の実施例を示す。
第１の実施例では、通常の使い捨て電池を用いるものであるが、本実施例では、充電が可能な電池を用いている。
充電用制御回路８と充電用入力端子９を追加した以外は、実施例１と同じ構成である。【００１６】この充電制御回路８、及び入力端子９は、ＵＳＢ方式を用いており、例えば、図示しないパソコンに接続して、充電することが可能である。【００１７】図３（１）及び（２）に本実施例のレーザポインタの外形を示す。
図３（１）は上面図であり、（２）は正面図である。
レーザ光源駆動用のスイッチ７はスライド式のスイッチであり、中央に位置した場合は、電源がオフの状態で、前述した第１及び第２のバッテリは、レーザポインタ制御回路と切離されている。
スイッチ７を、図中左側にスライド移動した場合、前述の第１のバッテリと第２のバッテリはレーザポインタ制御回路に並列接続され、光出力の小さい第１のモードで、レーザ光がレーザ光照射開口投影レンズ１４を介して出力される。
また、スイッチ７を、図中右側にスライド移動した場合、前述の第１のバッテリと第２のバッテリはレーザポインタ制御回路に直列接続され、光出力の大きい第２のモードで、レーザ光がレーザ光照射開口投影レンズ１４を介して出力される。【００１８】本発明は、上述の実施例に限定されるものではなく、例えば、回路ブロックの構成、スイッチなどは異なるものであってもよい。
また、本体ケースの外形は、上述の実施例に限定されない。【００１９】尚、上述の実施例では、第１のバッテリと、第２のバッテリを一般的な例えば単三の電池を想定しているが、これを、電気二重層コンデンサに変更してもよい。
この場合、連続動作時間は短くなるが、急速充電が可能となり、また電源として高寿命化が可能となる。【００２０】また、図４に示すように、通常時はバッテリでレーザポインタを制御し、電力が低下して必要な輝度が得られなくなった場合に、電気二重層コンデンサを利用して動作を継続可能となるように構成してもよい。
逆に、通常時は電気二重層コンデンサでレーザポインタを制御し、電力が低下して必要な輝度が得られなくなった場合に、バッテリを利用して動作を継続可能となるように構成してもよい。【００２１】更に、図５に示すように、スイッチは単純なメカニカルなスイッチではなく、マイコン制御で動作する構成にしてもよい。
例えば、スイッチを一度押すと、電気二重層コンデンサ６のみで通常モードとして動作し、電力が低下して必要な輝度が得られなくなった場合に、スイッチを二度押すと、緊急モードで、バッテリ５を利用して動作が継続可能となるように構成してもよい。
また、第１のモード、第２のモード毎に専用のスイッチを設けても良い。
【産業上の利用可能性】
【００２２】本発明は、使用場所の照度に合わせて、明るさを優先させたモード、或いは動作時間を優先させた低消費電力モードの選択が可能となり、レーザポインタの利便性を向上させることが可能となる。
【図面の簡単な説明】
【００２３】
【図１】図１は、本発明の第１実施例に係る回路構成を示すブロック図である。
【図２】図２は、本発明の第２実施例に係る回路構成を示すブロック図である。
【図３】図３（１）、（２）は、本発明の実施例の形態に係る構成を示す上面図、及び正面図である。
【図４】図４は、本発明の第３実施例に係る回路構成を示すブロック図である。
【図５】図５は、本発明の第４実施例に係る回路構成を示すブロック図である。
【符号の説明】
【００２４】１：レーザダイオード
４：レーザポインタ制御回路
５：第１のバッテリ
６：第２のバッテリ
７：スイッチ
【図１】
2009186948.tif 000003
【図２】
2009186948.tif 000004
【図３】
2009186948.tif 000005
【図４】
2009186948.tif 000006
【図５】
2009186948.tif 000007